(57)【要約】【課題】本発明は流体継手に内蔵される弁機構の簡略化と接続時の負荷を軽減することを課題とする。【解決手段】ソケット継手３０のソケット本体３１には、供給流路３２と供給流路３４との間を連通するバイパス流路３６が形成されている。バイパス流路３６と供給流路３４とが交差する弁室７０には、供給流路３４とバイパス流路３６の何れか一方を閉止する弁機構８０が設けられている。弁機構８０は、球状弁体８２が回動可能に支持される。結合部材１３０，１５０は供給流路３２，３４のねじ孔３５ｂに装着され、弁体１３４，１３５を有する。弁体１３４，１３５は、プラグ継手４０が結合部材１３０，１５０に挿入されることにより弁座部材１３６から離間して開弁する。さらに、弁体１３５は押圧部１３５ｂの先端が球状弁体８２を押圧する。これにより、球状弁体８２は軸８８を中心に反時計方向に回動して弁座３４ａから離間し、バイパス流路３６を閉止する。【選択図】図７
2007303604.tif 000002
【特許請求の範囲】
【請求項１】
流体が供給される供給経路に連通された供給側継手と、
該供給側継手に分離可能に接続される被供給側継手と、
前記供給側継手に設けられ、前記供給経路からの流体が流れる一対の流路と、
該一対の流路間を連通するバイパス流路と、
前記一対の流路を閉止し、前記被供給側継手の挿入により前記流路を開とする弁部材と、
前記一対の流路に連通され、前記被供給側継手の円筒部が挿入される一対の挿入口と、
前記一対の挿入口に設けられ、前記被供給側継手の円筒部を係止する係止部と、
前記バイパス流路を開または閉とする弁機構とを有する流体継手装置において、
前記弁機構は、
前記流路内に設けられた球状弁体と、
該球状弁体を前記流路内の弁座に付勢する付勢部材と、
前記球状弁体を回動可能に支持する弁体支持部と、
前記被供給側継手が前記供給側継手の挿入口に挿入される過程で前記球状弁体を回動させるように押圧し、前記球状弁体を前記弁座から離間させ、且つ前記バイパス流路を閉止する位置に移動させる押圧部と、
を備えたことを特徴とする流体継手装置。
【請求項２】
前記弁体支持部は、
前記流路を覆う壁内に設けられた軸と、
該軸と前記球状弁体とを連結する連結部と、
を有することを特徴とする請求項１に記載の流体継手装置。
【請求項３】
前記供給側継手は、前記被供給側継手により供給された流体が使用された後に使用済み流体として回収管路が接続される回収流路を有することを特徴とする請求項１に記載の流体継手装置。
【発明の詳細な説明】
【技術分野】
【０００１】
本発明は流体継手装置に係り、特に流体が供給される供給経路から外部に流体を供給可能に接続されるよう構成された流体継手装置に関する。
【背景技術】
【０００２】
従来より流体（液体及び気体を含む）を供給する供給経路が配設された施設では、供給経路の任意の箇所から流体の供給を可能にする流体供給システムの開発が進められている。このような、システムにおいては、流体の供給を受ける被供給側の機器を何処に設置するかの要望によって、機器設置箇所を必要に応じて変更する場合がある。
【０００３】
このような、流体を使用する機器の設置箇所を移動する場合、あるいは機器の増設、あるいは機器の撤去などを行なう場合、流体を供給するための配管を移動したり、増設や撤去などの作業が必要になる。
【０００４】
特に新しく機器を設置する場合には、流体を供給するための供給経路も新たに配設することになり、例えば、配管が通行の邪魔にならないように地中に埋設されていたり、あるいは構造物の壁の内部に配設されていると、地面を掘り返したり、壁を壊して配管を分岐させる作業を行なうことになる。
【０００５】
このような配管工事は、流体を使用する機器の設置作業の負担増になっており、できるだけ、配管工事の手間を減らすことが要望されている。一方、地面や壁に埋設された配管に継手を介して可撓性のホースやチューブを分離可能に接続する流体継手装置がある（例えば、特許文献１〜３参照）。この流体継手装置では、ホースに接続された一対のプラグ継手（被供給側継手）を配管途中に設けられた一対のソケット継手（供給側継手）に結合することにより、各ソケット継手内部の逆流防止弁が開弁すると共に、各ソケット継手の内部に設けられた係止部がプラグ継手を係止するように構成されている。
【特許文献１】実開平０２−０８０２８７号
【特許文献２】実開平０１−１３１０９０号
【特許文献３】実開昭５０−０１６５１０号
【発明の開示】
【発明が解決しようとする課題】
【０００６】
しかしながら、上記特許文献１〜３に開示された流体継手装置は、各ソケット継手の夫々に弁が設けられ、各プラグ継手の夫々にも自封弁が設けられ、各ソケット継手の自封弁体と各プラグ継手の自封弁体とが互いに当接して開弁するように構成されているため、部品点数が多く、構成が複雑化するばかりか、自封弁体を付勢する各バネの力が釣り合う位置に押圧動作される構成であるので、上記バネが劣化してバネ力が釣り合わなくなると、各自封弁体の一方が開弁しなくなるという問題がある。
【０００７】
また、上記特許文献１〜３の流体継手装置では、一対の流路を連通するバイパス流路を開閉する弁機構が設けられている。この弁機構は、上記プラグ継手をソケット継手に挿入することでバネ等の付勢部材に抗して弁部が流路内部を直線移動して切り替え動作するように構成されており、プラグ継手の挿入操作を行う際には付勢部材を圧縮する方向に押圧しながらプラグ継手を押圧することになり、プラグ継手の押圧操作力が増大して操作しにくいという問題があった。
【０００８】
そこで、本発明は上記事情に鑑み、上記課題を解決した流体継手装置を提供することを目的とする。
【課題を解決するための手段】
【０００９】
上記課題を解決するため、本発明は以下のような手段を有する。
【００１０】
本発明は、流体が供給される供給経路に連通された供給側継手と、該供給側継手に分離可能に接続される被供給側継手と、前記供給側継手に設けられ、前記供給経路からの流体が流れる一対の流路と、該一対の流路間を連通するバイパス流路と、前記一対の流路を閉止し、前記被供給側継手の挿入により前記流路を開とする弁部材と、前記一対の流路に連通され、前記被供給側継手の円筒部が挿入される一対の挿入口と、前記一対の挿入口に設けられ、前記被供給側継手の円筒部を係止する係止部と、前記バイパス流路を開または閉とする弁機構とを有する流体継手装置において、前記弁機構は、前記流路内に設けられた球状弁体と、該球状弁体を前記流路内の弁座に付勢する付勢部材と、前記球状弁体を回動可能に支持する弁体支持部と、前記被供給側継手が前記供給側継手の挿入口に挿入される過程で前記球状弁体を回動させるように押圧し、前記球状弁体を前記弁座から離間させ、且つ前記バイパス流路を閉止する位置に移動させる押圧部と、を備えており、上記課題を解決するものです。
【００１１】
また、前記弁体支持部は、前記流路を覆う壁内に設けられた軸と、該軸と前記球状弁体とを連結する連結部と、を有することを特徴とする。
【００１２】
また、前記供給側継手は、前記被供給側継手により供給された流体が使用された後に使用済み流体として回収管路が接続される回収流路を有することを特徴とする。
【発明の効果】
【００１３】
本発明によれば、供給側継手の流路に設けられた球状弁体を回動させることにより流体の流れ方向を切り替えることができるので、比較的少ない部品点数で構成の簡略化を図れると共に、製造コストを安価に抑えることができる。さらに、被供給側継手を供給側継手に接続する際、球状弁体を回動して付勢部材の付勢方向に対して横方向に回動させるため、被供給側継手の挿入時の負荷を軽減して接続操作を容易に行うことができる。
【発明を実施するための最良の形態】
【００１４】
以下、図面を参照して本発明を実施するための最良の形態について説明する。
【実施例１】
【００１５】
図１は本発明による流体継手装置の一実施例を示す横断面図である。図２は図１中Ａ−Ａ線に沿う縦断面図である。図３は流体継手装置の背面図である。図４は流体継手装置の正面図である。尚、図１乃至及び図４は流体を外部の機器に供給しない状態を示している。
【００１６】
図１乃至図４に示されるように、流体継手装置１０は、流体が供給される供給経路２０の上流側管路２２と下流側管路２４に連通されたソケット継手（供給側継手）３０と、供給側のソケット継手３０に分離可能に接続されるプラグ継手（被供給側継手）４０とを有する。尚、図１及び図２では、流体を外部の機器に供給しない状態を示しているため、プラグ継手４０が示されていない。
【００１７】
ソケット継手３０は、金属ブロック状に形成されたソケット本体３１と、ソケット本体３１を壁または床面などの取付部１２に固定する一対の固定板５０と、ソケット本体３１と取付部１２との差を埋めるスペーサ５２とを有する。固定板５０は、ソケット本体３１の前後面より大きいため、周縁部がソケット本体３１よりはみ出すように取り付けられる。よって、ソケット継手３０は、一対の固定板５０が取付ボルト５４によりソケット本体３１の前後面に固定されて固定板５０の周縁部がスペーサ５２を介して取付部１２を挟持することにより固定される。
【００１８】
また、ソケット継手３０のソケット本体３１は、上流側管路２２に連通される上流側の供給流路３２と、下流側管路２４に連通される下流側の供給流路３４とが平行に配されている。この供給流路３２，３４は、供給経路２０を形成する一対の流路であり、取付部１２の内側から外側に貫通するように設けられている。
【００１９】
供給流路３２，３４は、夫々内側開口（図１及び図２の左側）にねじ孔３５ａが設けられ、外側開口（図１及び図２の右側）にねじ孔３５ｂが設けられている。そして、供給流路３２，３４のねじ孔３５ａには、管路接続部材６０が螺入されている。尚、固定板５０には、ねじ孔３５ａ，３５ｂに連通する開口５０ａ，５０ｂが設けられている。この開口５０ａ，５０ｂは、管路接続部材６０、プラグ継手４０をねじ孔３５ａ，３５ｂに螺入させる際に挿通するためのものである。
【００２０】
本実施例においては、管路接続部材６０には、水道水を供給するための上流側管路２２及び下流側管路２４が接続される。また、供給流路３２，３４のねじ孔３５ｂには、閉止栓６２が螺入されている。そのため、ソケット継手３０は、閉止栓６２によりねじ孔３５ｂが閉止されているので、プラグ継手４０を供給流路３２，３４に連通させることができない状態になっている。
【００２１】
また、プラグ継手４０を供給流路３２，３４に連通させる場合は、後述するように閉止栓６２を外して結合部材を結合させることにより容易に機器からのホースを接続することが可能になる。
【００２２】
さらに、ソケット継手３０のソケット本体３１には、供給流路３２と供給流路３４との間を連通するバイパス流路３６が供給流路３２，３４と交差する方向に形成されている。また、ソケット本体３１の側面に開口するバイパス流路３６の端部は、閉止栓６４により閉止されている。
【００２３】
従って、供給流路３２，３４のねじ孔３５ｂが閉止栓６２によって閉止された状態では、上流側管路２２から供給流路３２に供給された流体は、外部機器に供給されない。そのため、流体を外部機器に供給しないことが確定している場合は、供給流路３２，３４のねじ孔３５ｂを閉止栓６２によって閉止した状態にして上流側管路２２からの流体をバイパス流路３６から下流側管路２４へ供給する。
【００２４】
また、バイパス流路３６と供給流路３４とが交差する弁室７０には、供給流路３４とバイパス流路３６の何れか一方を閉止する弁機構８０が設けられている。そして、弁室７０の上面側開口部は、ソケット本体３１の上面に固定された蓋部材７２により閉塞される。
【００２５】
弁機構８０は、弁室７０内に設けられた球状弁体８２と、球状弁体８２を供給流路３４の弁座３４ａに付勢するコイルバネ（付勢部材）８４と、球状弁体８２を回動可能に支持する弁体支持部８６と、プラグ継手４０の接続により球状弁体８２を弁座３４ａから離間させる押圧部（図７に示す）とを有する。弁体支持部８６は、球状弁体８２と一体に設けられ、弁室７０を囲む壁内に設けられた軸８８と、軸８８と球状弁体８２とを連結する連結部９０とを有する。また、供給流路３４の下流側には、コイルバネ８４を保持する円筒形状のバネ受け９２が螺入されている。
【００２６】
軸８８は、供給流路３４の延在方向と直交するように形成された軸受け９４により回動可能に軸承されている。そして、軸８８の中間部分から半径方向に突出する連結部９０は、軸受け９４に連通する扇状溝９６内に挿通されている。従って、球状弁体８２は、軸８８を回動中心としてα方向に回動するように支持されており、連結部９０が扇状溝９６内を揺動することで球状弁体８２の切り替え動作を妨げない構成になっている。
【００２７】
さらに、ソケット継手３０は、弁体３１に使用済み流体（排水）を回収するための回収管路（図示せず）が接続される回収流路９８を有する。図１及び図２に示す状態では、回収流路９８の上流側開口が閉止栓１００により閉止されており、回収流路９８の下流側開口には、排水管路１１０が接続される管路接続部材１２０が螺入されている。この排水管路１１０は、ソケット継手３０の供給流路３２及びプラグ継手４０を介して水道水が供給された機器において、例えば、水圧を利用してアクチュエータを駆動させた後の水を下水へ排水させるのではなく、再処理して工業用水として再利用する場合に使用済みの水を回収するための管路である。そのため、回収流路９８の閉止栓１００を外して機器からの回収ホースを回収流路９８に接続するだけなので、使用済みの水を回収するための配管工事が容易に行える。
【００２８】
供給流路３４には、円盤形状のガイド部材１６０が圧入されている。このガイド部材１６０は、プラグ継手４０が結合される結合部材１５０に内蔵された弁体１３５（後述する図６参照）の軸方向動作をガイドするものである。
【００２９】
図５はガイド部材１６０を拡大して示す図であり、（Ａ）は正面図、（Ｂ）は縦断面図である。図５（Ａ）（Ｂ）に示されるように、ガイド部材１６０は、後述する弁体１３５の押圧部１３５ｂが挿入されるガイド孔１６２と、ガイド孔１６２の外側に配置された複数の流体通過孔１６４とを有する。
【００３０】
ここで、プラグ継手４０をソケット継手３０に接続する前段階の作業について説明する。図６はプラグ継手４０に接続するための結合部材をソケット継手３０に装着した状態を示す横断面図である。図７はプラグ継手４０に接続するための結合部材をソケット継手３０に装着した状態を示す縦断面図である。
【００３１】
図６及び図７に示されるように、結合部材１３０，１５０を供給流路３２，３４のねじ孔３５ｂに装着させる場合は、まず閉止栓６２を外してねじ孔３５ｂに結合部材１３０，１５０を螺入させる。結合部材１３０，１５０は、夫々、供給流路３４のねじ孔３５ｂに螺入される筒状部材１３２と、筒状部材１３２の中空部分に挿入された弁体１３４，１３５と、環状に形成された弁座部材１３６と、弁体１３４，１３５を弁座部材１３６に押圧するコイルバネ１３８と、弁座部材１３６を保持する筒状の保持部材１４０と、保持部材１４０の内部を貫通する挿入口１４１と、挿入口１４１の内周に突出する係止球１４２と、保持部材１４０の外周で軸方向に摺動して係止球１４２を外側に変位可能として係止解除するための解除部材１４４とを有する。
【００３２】
結合部材１３０の弁体１３４は、弁座部材１３６に当接して供給流路３２を閉止する弁部１３４ａと、弁部１３４ａより挿入口１４１に延在し、プラグ継手４０に当接する当接部１３４ｃとを有する。
【００３３】
結合部材１５０の弁体１３５は、弁座部材１３６に当接して供給流路３４を閉止する弁部１３５ａと、弁部１３５ａより弁室７０に延在する棒状の押圧部１３５ｂと、プラグ継手４０に当接する当接部１３５ｃとを有する。このときの押圧部１３５ｂは、先端が球状弁体８２の外周に近接しているが、非接触である。
【００３４】
また、結合部材１５０をねじ孔３５ｂに螺入させる際に上記弁体１３５の押圧部１３５ｂの先端を前述したガイド部材１６０のガイド孔１６２に挿入させる。そのため、弁体１３５は、後述するプラグ継手４０の挿入操作により押圧される際の開弁方向の摺動動作がガイド部材１６０のガイド孔１６２によってガイドされる。
【００３５】
また、回収流路９８の閉止栓１００を外して管路接続部材１２０を螺入する。これにより、外部機器からの回収ホースを回収流路９８に接続することが可能になる。
【００３６】
図８は結合部材１３０，１５０にプラグ継手４０を接続した状態を示す横断面図である。図９は結合部材１３０，１５０にプラグ継手４０を接続した状態を示す縦断面図である。
【００３７】
図８及び図９に示されるように、プラグ継手４０は、結合部材１３０，１５０の挿入口１４１に挿入される筒状挿入部４２と、機器からの管路２００が接続される接続部４４と、内部を貫通する貫通流路４６と、筒状挿入部４２の外周に形成された係止用凹部４８とを有する。プラグ継手４０は、保持部材１４０の挿入口１４１に挿入されると係止用凹部４８に保持部材１４０の内周に突出する係止球１４２が嵌合する。これにより、プラグ継手４０は、結合部材１３０，１５０に挿入された状態で係止される。
【００３８】
プラグ継手４０は、挿入側端部に貫通流路４６を横切るように横架された板状の当接部４６ａが設けられている。この当接部４６ａは、弁体１３４，１３５に当接して弁体１３４，１３５を挿入方向に変位させるものである。従って、弁体１３４，１３５は、プラグ継手４０が結合部材１３０，１５０に挿入されることにより弁座部材１３６から離間して開弁する。流体は、弁体１３４，１３５の開弁によりプラグ継手４０の貫通流路４６を通過して下流側の外部機器や供給流路３４へ流出することが可能になる。
【００３９】
さらに、弁体１３５は押圧部１３５ｂの先端が上記ガイド部材１６０のガイド孔１６２によってガイドされて球状弁体８２を押圧する。これにより、球状弁体８２は軸８８を中心に反時計方向に回動して弁座３４ａから離間するため、供給流路３４が開放される。
【００４０】
そして、球状弁体８２はバイパス流路３６の弁座３６ａに当接してバイパス流路３６を遮断する。これにより、上流側管路２２から供給流路３２に供給された流体は、結合部材１３０に接続されたプラグ継手４０及び管路２００を介して外部機器に供給される。そして、外部機器から戻された流体は、外部機器からの管路２０２及びプラグ継手４０を介して供給流路３４に供給され、弁室７０を通過して下流側管路２４へ吐出される。
【００４１】
この場合の具体例として、例えば、プラグ継手４０が湯沸かし器（図示せず）に接続される場合には、上流側管路２２から供給された水道水がソケット継手３０の供給流路３２及びプラグ継手４０、管路２００を介して湯沸かし器に供給される。そして、湯沸かし器で加熱された温水は、外部機器からの管路２０２、プラグ継手４０及びソケット継手３０の供給流路３４を介して下流側管路２４の下流に接続された洗面所あるいは風呂場の水栓（図示せず）に供給される。
【００４２】
また、ソケット継手３０の流路に設けられた球状弁体８２を回動させることにより流体の流れ方向を切り替えることができるので、比較的少ない部品点数で構成の簡略化を図れると共に、製造コストを安価に抑えることができる。さらに、プラグ継手４０をソケット継手３０の挿入口１４１に挿入する際、球状弁体８２を回動してコイルバネ８４の押圧方向に対して横方向（α方向）に回動させるため、プラグ継手４０の挿入時の負荷を軽減して接続操作を容易に行うことができる。
【００４３】
また、外部機器によって回収ホース２２０を使用する場合には、回収ホース２２０を回収流路９８の管路接続部材１２０に接続する。これにより、外部機器から排出された使用済み流体を回収することが可能になる。
【００４４】
尚、外部機器を別の場所に移動させる場合には、上記解除部材１４４を摺動させて係止球１４２によるプラグ継手４０の係止を解除してプラグ継手４０を結合部材１３０，１５０から引き抜く。これにより、図５に示されるように、一方の結合部材１３０の弁体１３４がコイルバネ１３８のバネ力により弁座部材１３６に押圧されて供給流路３２を閉止する。また、他方の結合部材１５０の弁体１３５がコイルバネ１３８のバネ力により弁座部材１３６に押圧されて供給流路３４を閉止する。さらに、弁体１３５の閉弁動作に伴って球状弁体８２がコイルバネ８４に押圧されて時計方向に回動してバイパス流路３６の弁座３６ｂから離間してバイパス流路３６を開放すると共に弁座３４ｂに当接して供給流路３４を閉止する。
【００４５】
従って、外部機器が設置される可能性のある複数の場所の壁や床に予めソケット継手３０を取り付けることにより、プラグ継手４０をソケット継手３０に接続するだけで外部機器の使用が可能になり、外部機器を任意の位置に設置して使用することができる。
【００４６】
また、同じ場所に複数のソケット継手３０を設けることにより、複数の外部機器を並設して使用することも可能になる。
【産業上の利用可能性】
【００４７】
上記実施例では、流体が供給される供給経路に連通された供給側継手と、供給側継手に分離可能に接続される被供給側継手とを有する流体継手装置を用いて外部機器へ流体を供給し、外部機器からの流体を還流させる場合を例に挙げて説明したが、本発明は、これに限らず、気体または液体を供給されて作動する装置、あるいは、供給された流体に何らかの処理（加熱または冷却を含む）を施す装置など様々な機器へ流体を供給し、且つ機器から流体が還流されるような流れを有するシステムであれば、分野を特に限定することなく、あらゆる分野への適用が可能である。
【図面の簡単な説明】
【００４８】
【図１】本発明による流体継手装置の一実施例を示す横断面図である。
【図２】図１中Ａ−Ａ線に沿う縦断面図である。
【図３】流体継手装置の背面図である。
【図４】流体継手装置の正面図である。
【図５】ガイド部材１６０を拡大して示す図であり、（Ａ）は正面図、（Ｂ）は縦断面図である。
【図６】プラグ継手４０に接続するための結合部材をソケット継手３０に装着した状態を示す横断面図である。
【図７】図６中Ｂ−Ｂ線に沿う状態を示す縦断面図である。
【図８】結合部材１３０，１５０にプラグ継手４０を接続した状態を示す横断面図である。
【図９】図８中Ｃ−Ｃ線に沿う縦断面図である。
【符号の説明】
【００４９】
１０  流体継手装置
２０  供給経路
２２  上流側管路
２４  下流側管路
３０  ソケット継手
３１  ソケット本体
３２，３４  供給流路
３６  バイパス流路
４０  プラグ継手
４２  筒状挿入部
４４  接続部
４６  貫通流路
４８  係止用凹部
６０  管路接続部材
６２，６４，１００  閉止栓
７０  弁室
８０  弁機構
８２  球状弁体
８４  コイルバネ
８６  弁体支持部
８８  軸
９０  連結部
９８  回収流路
１１０  排水管路
１２０  管路接続部材
１３０，１５０  結合部材
１３２  筒状部材
１３４，１３５  弁体
１３６  弁座部材
１４０  保持部材
１４１  挿入口
１４２  係止球
１４４  解除部材
１６０  ガイド部材
【図１】
2007303604.tif 000003
【図２】
2007303604.tif 000004
【図３】
2007303604.tif 000005
【図４】
2007303604.tif 000006
【図５】
2007303604.tif 000007
【図６】
2007303604.tif 000008
【図７】
2007303604.tif 000009
【図８】
2007303604.tif 000010
【図９】
2007303604.tif 000011
【手続補正書】
【提出日】平成18年6月21日(2006.6.21)
【手続補正１】
【補正対象書類名】特許請求の範囲
【補正対象項目名】全文
【補正方法】変更
【補正の内容】
【特許請求の範囲】
【請求項１】
流体が供給される供給経路に連通された供給側継手と、
該供給側継手に分離可能に接続される被供給側継手と、
前記供給側継手に設けられ、前記供給経路からの流体が流れる一対の流路と、
該一対の流路間を連通するバイパス流路と、
前記一対の流路を閉止し、前記被供給側継手の挿入により前記流路を開とする弁部と、
前記一対の流路に連通され、前記被供給側継手の円筒部が挿入される一対の挿入口と、
前記一対の挿入口に設けられ、前記被供給側継手の円筒部を係止する係止部と、
前記バイパス流路を開または閉とする弁機構とを有する流体継手装置において、
前記弁機構は、
前記流路に形成された弁室内に設けられた球状弁体と、
該球状弁体を前記流路内の弁座に付勢する付勢部材と、
前記弁室を囲む壁内の軸受けより回動可能に支持された軸と、該軸と前記球状弁体とを連結する連結部とを有し、前記軸の回動により前記球状弁体を回動可能に支持する弁体支持部と、
前記弁部より前記弁室へ延在され、前記被供給側継手が前記供給側継手の挿入口に挿入される過程で前記球状弁体を回動させるように押圧し、前記球状弁体を前記弁座から離間させ、且つ前記バイパス流路を閉止する位置に移動させる押圧部と、
を備えたことを特徴とする流体継手装置。
【請求項２】
前記押圧部を前記球状弁体に当接させる軸方向にガイドするガイド部材を備えたことを特徴とする請求項１に記載の流体継手装置。
【請求項３】
前記供給側継手は、前記被供給側継手により供給された流体が使用された後に使用済み流体として回収管路が接続される回収流路を有することを特徴とする請求項１に記載の流体継手装置。
【手続補正２】
【補正対象書類名】明細書
【補正対象項目名】００１０
【補正方法】変更
【補正の内容】
【００１０】
本発明は、流体が供給される供給経路に連通された供給側継手と、該供給側継手に分離可能に接続される被供給側継手と、前記供給側継手に設けられ、前記供給経路からの流体が流れる一対の流路と、該一対の流路間を連通するバイパス流路と、前記一対の流路を閉止し、前記被供給側継手の挿入により前記流路を開とする弁部と、前記一対の流路に連通され、前記被供給側継手の円筒部が挿入される一対の挿入口と、前記一対の挿入口に設けられ、前記被供給側継手の円筒部を係止する係止部と、前記バイパス流路を開または閉とする弁機構とを有する流体継手装置において、前記弁機構は、前記流路に形成された弁室内に設けられた球状弁体と、該球状弁体を前記流路内の弁座に付勢する付勢部材と、前記弁室を囲む壁内の軸受けより回動可能に支持された軸と、該軸と前記球状弁体とを連結する連結部とを有し、前記軸の回動により前記球状弁体を回動可能に支持する弁体支持部と、前記弁部より前記弁室へ延在され、前記被供給側継手が前記供給側継手の挿入口に挿入される過程で前記球状弁体を回動させるように押圧し、前記球状弁体を前記弁座から離間させ、且つ前記バイパス流路を閉止する位置に移動させる押圧部と、を備えており、上記課題を解決するものです。
【手続補正３】
【補正対象書類名】明細書
【補正対象項目名】００１１
【補正方法】変更
【補正の内容】
【００１１】
また、本発明は、前記押圧部を前記球状弁体に当接させる軸方向にガイドするガイド部材を備えたことを特徴とする。
【手続補正４】
【補正対象書類名】明細書
【補正対象項目名】００１３
【補正方法】変更
【補正の内容】
【００１３】
本発明によれば、被供給側継手が供給側継手の挿入口に挿入される過程で弁部より弁室へ延在された押圧部が球状弁体を回動させるように押圧し、球状弁体を弁座から離間させ、且つバイパス流路を閉止する位置に移動させることにより、流体の流れ方向を切り替えることができるので、比較的少ない部品点数で構成の簡略化を図れると共に、製造コストを安価に抑えることができる。さらに、被供給側継手を供給側継手に接続する際、球状弁体を回動して付勢部材の付勢方向に対して横方向に回動させるため、被供給側継手の挿入時の負荷を軽減して接続操作を容易に行うことができる。
【手続補正５】
【補正対象書類名】明細書
【補正対象項目名】００２５
【補正方法】変更
【補正の内容】
【００２５】
弁機構８０は、弁室７０内に設けられた球状弁体８２と、球状弁体８２を供給流路３４の弁座３４ａに付勢するコイルバネ（付勢部材）８４と、球状弁体８２を回動可能に支持する弁体支持部８６と、プラグ継手４０の接続により球状弁体８２を弁座３４ａから離間させる押圧部１３５ｂ（図６に示す）とを有する。弁体支持部８６は、球状弁体８２と一体に設けられ、弁室７０を囲む壁内に設けられた軸８８と、軸８８と球状弁体８２とを連結する連結部９０とを有する。また、供給流路３４の下流側には、コイルバネ８４を保持する円筒形状のバネ受け９２が螺入されている。